(57)【要約】 【課題】  戸において、泥棒がドリルを用い、少なくとも外側シリンダー錠に対して攻撃してきても、容易に外側シリンダー錠の駆動軸を回転させ、施錠片を解錠することができないようにすること。【解決手段】  引戸の縦框の内部空間２に、外側シリンダーに外挿する環状壁６１ａが化粧板５の内壁面側に添設状態に固定され、かつ、外側シリンダー５０の外周壁を囲む筒状防御壁６１ｂを有するケース状第１硬質プロテクター６１が固定的に配設されていることを特徴とする建具用錠前のシリンダー錠の保護構造。【選択図】  図５
2005188083.tif 000002
【特許請求の範囲】
【請求項１】
引戸の縦框の内部空間に横設状態に設けられ、かつ、後端部側が化粧板の内壁面に固定された外側シリンダーと、この外側シリンダーの駆動力により動力変換上下動部材を介して施・解錠方向へ作動する施錠片と、該施錠片を作動させることができるように化粧板にスライド自在に設けられたサムターンとを備えた引戸に於いて、前記縦框の内部空間２に、前記外側シリンダーに外挿する環状壁６１ａが化粧板５の内壁面側に添設状態に固定され、かつ、外側シリンダー５０の外周壁を囲む筒状防御壁６１ｂを有するケース状第１硬質プロテクター６１が固定的に配設されていることを特徴とする建具用錠前のシリンダー錠の保護構造。
【請求項２】
請求項１に於いて、縦框の内部空間には、第１硬質プロテクター６１に対して外側ケースプロテクターに相当する第２硬質プロテクター７１がドリル攻撃に対して第１段階で防御するように固定的に配設されていることを特徴とする建具用錠前のシリンダー錠の保護構造。
【請求項３】
請求項１または請求項２に於いて、化粧板５の内壁面と外側シリンダー用固定筒５６Ａとの間に侵入ドリルに対して防御する板状第３硬質プロテクター８１が固定的に介在していることを特徴とする建具用錠前のシリンダー錠の保護構造。
【請求項４】
請求項１に於いて、ケース状第１硬質プロテクター６１の内壁面と外側シリンダー５９の先端部側外周壁との間隙部分８６に固着手段防御部材８５が内装されていることを特徴とする建具用錠前のシリンダー錠の保護構造。
【請求項５】
請求項１に於いて、第１硬質プロテクター６１は、化粧板５の内壁面に添設固定される外側シリンダー用固定筒５６を介して化粧板に固定されていることを特徴とする建具用錠前のシリンダー錠の保護構造。
【請求項６】
引戸の縦框の内部空間に横設状態に設けられ、かつ、後端部側が化粧板の内壁面に固定された外側シリンダーと、この外側シリンダーの駆動力により動力変換上下動部材を介して施・解錠方向へ作動する施錠片と、該施錠片を作動させることができるように化粧板にスライド自在に設けられたサムターンとを備えた引戸に於いて、前記縦框の内部空間２に、縦長ケース状硬質プロテクター７１がドリル攻撃に対して防御することができるように固定的に配設されていることを特徴とする建具用錠前のシリンダー錠の保護構造。
【請求項７】
請求項６に於いて、縦長ケース状硬質プロテクター７１の前壁７１ｂの内壁面には、外側シリンダーに外挿する環状壁６１ａと、外側シリンダー５０の外周壁を囲む筒状防御壁６１ｂとを有するケース状第１硬質プロテクター６１が固定的に設けられていることを特徴とする建具用錠前のシリンダー錠の保護構造。
【請求項８】
請求項６に於いて、縦框の内部空間２に、外側シリンダーに外挿する環状壁６１ａが化粧板５の内壁面側に添設状態に固定され、かつ、外側シリンダー５０の外周壁を囲む筒状防御壁６１ｂを有するケース状第１硬質プロテクター６１が固定的に配設されていることを特徴とする建具用錠前のシリンダー錠の保護構造。
【請求項９】
請求項６に於いて、縦框の内部空間には、化粧板を介して内外のシリンダー１０、５０が上下方向に所要間隔を有して配設され、少なくとも縦長ケース状硬質プロテクター７１の前壁７１ｂは、内外のシリンダー１０．５０を防御する長さを有していることを特徴とする建具用錠前のシリンダー錠の保護構造。
【請求項１０】
請求項９に於いて、引戸の室内側内部空間に嵌合筒部を有するサムターンを設け、このサムターンと前記嵌合筒部に組込まれたクラッチボタンを介して連動する施錠片用連動部材を引戸内の取付け収納体に上下動可能に取付け、また、内側シリンダーをキーで操作すると、連動部材に係合している前記クラッチボタンのクラッチ状態を解消させることができるように動力変換上下動部材の移動方向に対して交差方向へ移動する制御板を連動部材と動力変換上下動部材の間に組込み、さらに、前記連動部材の一端部には、外側シリンダーの伝動歯車と噛合するラックが連結されていることを特徴とする建具用錠前のシリンダー錠の保護構造。
【請求項１１】
引戸の縦框の内部空間に横設状態に設けられ、かつ、後端部側が化粧板の内壁面に固定された外側シリンダーと、この外側シリンダーの駆動力により動力変換上下動部材を介して施・解錠方向へ作動する施錠片と、該施錠片を作動させることができるように化粧板にスライド自在に設けられたサムターンとを備えた引戸に於いて、前記縦框の内部空間２に、化粧板５に内壁面と外側シリンダー用固定筒５６Ａの間に侵入ドリルに対して防御する板状硬質プロテクター８１が固定的に介在していることを特徴とする建具用錠前のシリンダー錠の保護構造。
【請求項１２】
請求項１１に於いて、板状硬質プロテクター８１は、外側シリンダー５０の後端部側に外挿する中心嵌合孔８２と、固定筒５６Ａの内端面の突起５９、５９に係合する取付け部８３、８３とを有していることを特徴とする建具用錠前のシリンダー錠の保護構造。
【発明の詳細な説明】
【技術分野】
【０００１】
本発明は、建具用錠前のシリンダー錠の保護構造に関し、特に引き違い戸の錠前、引き分け戸の錠前、戸先錠等引戸の錠前に適合する。
【背景技術】
【０００２】
出願人は、外側シリンダーと、内側シリンダーとを含む建具用サムターン係脱機構を提案した(特開２００３−２７７９９号公報)。この公報記載の実施例の引戸は、引き違い戸の錠前に関するものであるが、戸先錠の場合にも、1枚の引戸にサムターン係脱機構用の内側シリンダーとは別個の施錠片出没用外側シリンダーとが取付けられている。
【０００３】
ところで、近年、泥棒が家屋に侵入する手口として、「カム送り」や「サムターン回し」が懸念されている。前者のカム送りは、例えば扉に装着された錠前の外側シリンダー錠を超硬ドリル等で破壊し、錠箱に組み込まれた錠機構を解錠状態にするために、施錠片用駆動部材を解錠方向に回転させるという手口である。
【０００４】
シリンダー錠を破壊し、シリンダー固定筒に対して回動可能な駆動軸を回転させると、鎌片が解錠方向に回転する。もちろん、外側シリンダーがサムターン機構と連動することなく、引戸に独自に設けられている場合も超硬ドリル、超硬ホールソー等による攻撃対象である。
【０００５】
そこで、現在、鎌片やサムターン機構を備えた引き違い戸、戸先錠、引き分け戸などの引戸においても、ドリルによる切削破壊という不正解錠を防止することが期待或いは要望されている。
【特許文献１】特開２００３−２７７９９号公報
【発明の開示】
【発明が解決しようとする課題】
【０００６】
そこで、本発明の第１の目的は、引戸において、泥棒がドリルを用い、少なくとも外側シリンダー錠に対して攻撃してきても、容易に外側シリンダー錠の駆動軸を回転させ、施錠片を解錠することができないようにすることである。第２の目的は、外側シリンダー錠に対して、少なくとも二重のプロテクターを設けることである。第３の目的は、外側シリンダー錠に対する硬質のプロテクターは、正面視を基準にして広角方向（例えば上方４５度方向、下方４５度方向）から暴力的な破壊攻撃を受けても防御することができることである。第４の目的は、サムターン機構が外側シリンダーに連動する錠前である場合に於いて、外側ケースプロテクターは、その形態如何によって、外側シリンダー錠のみならず、内側シリンダーを含む錠機構を全体的に保護することを目的とする。
【課題を解決するための手段】
【０００７】
本発明の建具用錠前のシリンダー錠の保護構造は、引戸の縦框の内部空間に横設状態に設けられ、かつ、後端部側が化粧板の内壁面に固定された外側シリンダーと、この外側シリンダーの駆動力により動力変換上下動部材を介して施・解錠方向へ作動する施錠片と、該施錠片を作動させることができるように化粧板にスライド自在に設けられたサムターンとを備えた引戸に於いて、前記縦框の内部空間に、前記外側シリンダーに外挿する環状壁が化粧板の内壁面側に添設状態に固定され、かつ、外側シリンダーの外周壁を囲む筒状防御壁を有するケース状第１硬質プロテクター６１が固定的に配設されている。
【０００８】
また、本発明の建具用錠前のシリンダー錠の保護構造は、引戸の縦框の内部空間に横設状態に設けられ、かつ、後端部側が化粧板の内壁面に固定された外側シリンダーと、この外側シリンダーの駆動力により動力変換上下動部材を介して施・解錠方向へ作動する施錠片と、該施錠片を作動させることができるように化粧板にスライド自在に設けられたサムターンとを備えた引戸に於いて、前記縦框の内部空間２に、縦長ケース状硬質プロテクター７１がドリル攻撃に対して防御することができるように固定的に配設されている。
【０００９】
さらに、本発明の建具用錠前のシリンダー錠の保護構造は、引戸の縦框の内部空間に横設状態に設けられ、かつ、後端部側が化粧板の内壁面に固定された外側シリンダーと、この外側シリンダーの駆動力により動力変換上下動部材を介して施・解錠方向へ作動する施錠片と、該施錠片を作動させることができるように化粧板にスライド自在に設けられたサムターンとを備えた引戸に於いて、前記縦框の内部空間２に、化粧板５に内壁面と外側シリンダー用固定筒５６Ａの間に侵入ドリルに対して防御する板状硬質プロテクター８１が固定的に介在している。なお、これらの各発明の特徴部分は、実施例レベルで順列的に任意に組み合わせることが可能である。
【発明の効果】
【００１０】
（１）引戸において、泥棒がドリルを用い、少なくとも外側シリンダー錠に対して攻撃してきても、容易に外側シリンダー錠の駆動軸を回転させ、施錠片を解錠することができないようにすることができる。
（２）実施例レベルで第１乃至第３の硬質プロテクターを順列的に任意に組み合わせると、外側シリンダー錠に対して、少なくとも二重の防御をすることができる。
（３）第１乃至第３の各硬質プロテクターは、正面視を基準にして広角方向（例えば上方４５度方向、下方４５度方向）から暴力的な破壊攻撃を受けても防御することができることができる。
（４）サムターン機構が外側シリンダーに連動する、しないに係らず、縦框内に化粧板を介して内外のシリンダー１０、５０が上下方向に所要間隔を有して配設されている錠前の場合には、特に第２の硬質プロテクター（外側ケースプロテクター）７１は、その形態如何によって、外側シリンダー錠のみならず、内側シリンダーを含む錠機構全体を保護することができる。
【発明を実施するための最良の形態】
【００１１】
以下、図１乃至図１５に示す本発明の第１実施例を説明し、次いで、実施例の欄で第２実施例及び第３実施例を説明する。
【００１２】
（１）発明の実施の環境
図１は発明の実施の環境を示す概略説明図である。図１に於いて、Ｘは建具用戸先錠である。本実施例では、引戸の戸先錠を例にして説明する。ここで、「引戸」とは、引いて開閉するドアの意味であり、また、「戸先錠」とは、建具の開口部の縦枠に衝突する引戸の先に取付けられる錠前のことである。
【００１３】
建具用戸先錠Ｘには内側シリンダー１０を備えたサムターン係脱機構Ｙが内装されている。１は戸先錠Ｘの取付け対象である１枚のサッシ型引戸である。この引戸１の縦框の空間或いは錠前装着用の内部空間２に内側シリンダー１０及び外側シリンダー５０を備えた戸先錠Ｘが設けられている。３は建具の開口部の縦枠Ｚに設けられた受け金具で、この受け金具３には戸先錠Ｘの施錠片(例えば鎌片)４の先端部が回転掛合（係合）する。Ｗは壁である。
【００１４】
本発明では、例えば図３で示すように一つの引戸１に内外のシリンダー１０．５０を上下方向に所要間隔を有して内装するように横設している。また、施錠片４用の連動部材が、内側シリンダーの駆動力のみならず外側シリンダーの駆動力によっても上下動することができるように、該連動部材の一端部には、外側シリンダーの伝動歯車と噛合するラックが連結されている。
【００１５】
本実施例は、一つの引戸に内・外のシリンダー１０、５０を上下方向に所要間隔を有して内装するように横設したシリンダー錠の保護構造である。なお、前記外側シリンダー５０は、サムターン機構と連動することなく、独自に施錠片４を施・解錠する構成であっても良い。また外側シリンダー５０の外筒の先端部には、特に図示しないが、超合金の環状防御板が固定されている。
【００１６】
（２）内側シリンダー
図３及び図４で示すように、１０は一つの引戸１に内装するように横設され、かつ、サムターン用化粧板５の嵌合部（例えば横向き凹所）６に一端部が嵌合する内側シリンダーである。この内側シリンダー１０の他端部（引戸１の室外側１ａの端部）から突出するサムターン駆動軸には、動力変換機構の一部を構成する駆動歯車（ピニオン）１３が設けられている。この内側シリンダー１０は、後述する外側シリンダー５０にも使える共用キー１４によってその駆動軸が回転する。なお、符号１ｂは引戸１の室内側である。
【００１７】
（３）取付け収納体
枠状の取付け収納体１５は、引戸１の内部空間２内に固定的に設けられている。取付け収納体１５の形態に関しては任意に形成することができるが、他の部材との関係で案内固定軸用軸孔、上下動部材用案内部などが適宜に設けられている。
【００１８】
本実施例の取付け収納体１５は、図７で示すように、断面チャンネル形状に形成され、対向側壁の適宜部位には、案内固定軸１６用の軸孔１７．１７が形成されている。案内固定軸１６は、後述する水平移動可能な制御板２５を案内する。
【００１９】
（４）動力変換上下動部材
２０は取付け収納体１５に組込まれた動力変換上下動部材である。この動力変換上下動部材２０は、図７で示すように縦長ブロック形状の係合駆動部２１と、この係合駆動部２１の一側壁から垂直板状に上方に延びるラック部２２とから成る。
【００２０】
しかして、係合駆動部２１の左右の側壁には、上下に所要の間隔を有して一対の突起軸２３，２３が設けられ、取付け収納体１５に内装される。一方、動力変換機構の一部を構成するラック部２２は、取付け収納体１５の側壁に沿って内側シリンダー１０の駆動歯車１３に噛合する。２４は案内固定軸１６と干渉しないように前記係合駆動部２１の一側壁に形成された切欠部である。
【００２１】
（５）制御板
２５は取付け収納体１５の適宜箇所（例えば中央部）に内装された制御板である。制御板２５は上下の端面がチャンネル形状（コ字型）に形成され、動力変換上下動部材２０或いは取付け収納体１５に対して水平移動可能に設けられている。図７で示すように、２６は左右の側壁の中央部にそれぞれ形成され、かつ、取付け収納体１５に横設軸架された案内固定軸１６に係合する左右一対の水平案内長孔である。また２７．２７は左右の側壁の上下部にそれぞれやや斜めの状態に形成され、かつ、動力変換上下動部材２０の左右の突起２３，２３が係合する複数個の傾斜案内長孔である。
【００２２】
制御板２５は動力変換上下動部材２０が駆動歯車１３の駆動力により鉛直方向に昇降動すると、左右の突起２３，２３の位置が上方又は下方へと移行することになるから、カム機能を有する傾斜案内長孔２７，２７によって進退動をする。この時制御板２５は、取付け収納体１５の突起軸１６，１６に水平案内長孔２６，２６が係合しているので、案内固定軸１６に支持された状態で水平移動する。
【００２３】
（６）連動部材
施錠片(例えば鎌片)用の連動部材３０は、Ｌ型部分を有する長板枠状に形成されている。この連動部材３０も動力変換上下動部材２０と同様に取付け収納体１５内に上下方向へとスライド可能に内装されている。３１は縦長端板で、この縦長端板３１の上端部は任意に折り曲げ形成され、かつ、一部に切欠を設けて形成した突片状の連結係合部３２が設けられている。また、該連結係合部３２よりも下方の適宜部位には、案内固定軸１６用の垂直案内長孔３３が形成されている。
【００２４】
次に３５は前壁（縦長端板に対する交差板）である。ここでは説明の便宜上、サムターンとの関係で前壁３５と称する。この前壁３５の上端部側には、逃し用垂直案内長孔３６が形成され、該垂直案内長孔３６の略中央部には、該垂直案内長孔よりも大径の係合孔３７が連通形成されている。前述した制御板２５及び動力変換上下動部材２０は、この連動部材３０を基準にして可動する。
【００２５】
次に３８は連動部材３０の下端部に設けられた可動軸で、施錠片４の幅広後端部はこの可動軸３８に、例えばＴ字型状係合孔を介して係合している。前述したように、取付け収納体１５の下端部には軸孔が形成されているが、これらの軸孔に施錠片用の支軸３９が取付けられる。施錠片４は所定位置にてこの支軸３９を介して回転する。
【００２６】
（７）サムターン
次にサムターン７について説明する。サムターン７は、図４で示すように内枠部材５と内側の受け部或いは受け部材５ａとの間を上下動するスライド部７ａと、このスライド部７ａの外壁面端部寄りの部位に突設された摘み部７ｂと、前記スライド部７ａの上端部側に摘み部とは反対側に形成されたクラッチボタン用支持筒或いは嵌合筒部４０と、この嵌合筒部４０にバネ４２に付勢された状態で組込まれたクラッチボタン４３と、このクラッチボタン４３が外れないように固着手段４１を介して嵌合筒部４０の端面に固定された矩形状小支持板４４とから構成されている。
【００２７】
しかして、図８で示すように、前記クラッチボタン４３は、フランジ部４３ａと、このフランジ部４３ａから突出する大径係合部４３ｂと、この大径係合部４３ｂから突出する小径係合部４３ｃとから成る。また前記小支持板４４には、嵌合筒部４０の周囲に形成した複数個のネジ孔４０ａと符合する貫通孔小孔４４ａや前記クラッチボタン４３の大径係合部４３ｂが摺動係合する支持係合孔４４ｂがそれぞれ形成されている。
【００２８】
（８）サムターン係脱機構Ｙを構成する部材
サムターン係脱機構Ｙは、内側シリンダー１０、該内側シリンダーの駆動力を変換する動力変換上下動部材２０、クラッチボタン用支持筒或いは嵌合筒部４０を有するサムターン７、前記嵌合筒部に組込まれたクラッチボタン４３を介して連動し、かつ、施錠片４を回転させる施錠片用連動部材３０、該連動部材と動力変換上下動部材の間に組込まれかつ内側シリンダーをキーで操作すると、連動部材３０に係合している前記クラッチボタン４３のクラッチ状態を解消させることができるように、動力変換上下動部材の移動方向に対して交差方向へ移動する制御板２５を構成要件とする。
【００２９】
（９）サムターン係脱機構Ｙの作用
ここではサムターン係脱機構Ｙのクラッチボタン４３が連動部材３０から係合状態（クラッチ）が解かれる場合について説明する。
【００３０】
まず、クラッチボタン４３の大径係合部４３ｂが連動部材３０の係合垂直壁３５ｂの係合孔３７に係合している場合に於いて、今仮にお出かけの際にサムターン７をフリーな状態にしょうとする場合には、図１２で示すように、例えば外側シリンダーにも使える共用キー１４を内側シリンダー１０に差込み、係合解錠方向へ回す。
【００３１】
そこで、内側シリンダー１０の駆動歯車１３が回転すると、動力変換上下動部材２０は矢印で示すように下降する。そうすると、前述したように制御板２５は、矢印で示すように案内固定軸１６に案内されながら連動部材３０側へ前進する。その結果、クラッチボタン４３は、バネ４２のバネ力に抗しながら制御板２５の前壁２５ａに押され、その大径係合部４３ｂは係合垂直壁３５ｂの係合孔３７から外れる。
【００３２】
したがって、サムターン７の摘み部３ｂを摘んで上下方向に操作しても、クラッチボタン４３の小径係合部４３ｃは、逃し用垂直案内長孔３６内を移動するだけなので、連動部材３０にサムターン７側の動力が伝わらない。それ故に、泥棒によって施錠片４の施錠状態が解かれる心配がない。
【００３３】
これに対し、図１４は、共用キー１４を逆方向へ所定量回転した結果、サムターン係脱機構Ｙのクラッチボタン４３が連動部材３０に係合している（クラッチが入っている）状態である。共用キー１４で駆動歯車１３を逆方向へ回転させると、動力変換上下動部材２０は矢印で示すように上昇する。そうすると、制御板２５は傾斜案内長孔２７，２７等に案内されながら動力変換上下動部材２０側へと戻る。その結果、クラッチボタン４３は、バネ４２のバネ力により制御板２５に追従して突出し、その大径係合部４３ｂが係合垂直壁３５ｂの係合孔３７に係合する。
【００３４】
したがって、サムターン７を矢印、本実施例では上方方向へスライドさせると、連動部材３０はクラッチボタン４３を介して上方へと移動する。それ故に、施錠片４は、支軸３９を支点に後退回転し、縦枠Ｚの受け金具３からその先端部が離れる。
【００３５】
（１０）内枠部材と外側シリンダー
サムターン用化粧板（内側座体）５には、前述したように外側シリンダー５０が固定的に装着されている（図４、図５、図１２など）。外側シリンダー５０は、サムターン機構と連動し、又は連動しないで、一端部（後端部側）が内枠部材５の内壁に形成された凹所状嵌合部５１に支持されていると共に、その余の部分（先端部側）は、内枠部材５に固着手段を介して固定されたシリンダー用固定筒５６に支持されている。
【００３６】
本実施例では、外側シリンダー５０はサムターン機構と連動することを前提として、前述したように一つの引戸１に内外のシリンダー１０、５０を上下方向に所要間隔を有して内装するように横設しているが、外側シリンダー５０は、上方に位置し、一方、内側シリンダー１０は所要間隔離間して下方に位置する。
【００３７】
図４、図９などで示すように、化粧板５の内側シリンダー１０用嵌合部６の上位には、外側シリンダー５０用横向き凹所状嵌合部５１が形成されている。また、化粧板５の内壁面には、前記嵌合部５１に連通する縦方向の収納凹所５２が形成され、該縦型収納凹所５２には、外側シリンダー５０の出力軸に固定された伝動歯車５３と噛合する縦方向の摺動ラック５４が組み込まれる。このラック５４は、図７で示すように、下端部に施錠片用連動部材３０の連結係合部３２に係合する連結被係合部（例えば角型係合孔）５５が形成されている。
【００３８】
したがって、図１５で示すように、本実施例では連動部材３０の一端部には、外側シリンダー５０の伝動歯車５３と噛合するラック５４が一体的に連結されている。
【００３９】
（１１）連動部材の共用
図１４で示すように、内側シリンダーにキーを差込み、キー操作により制御板が後退し、クラッチボタン４３が連動部材３０の係合孔３７に係合した状態に於いて、サムターン７を押し下げると、連動部材３０が下降し、施錠片４が突出する。この点、外側シリンダー５０の場合も同様である。例えば外側シリンダー５０に共用キー１４を差込み、所定量回転すると、施錠片用連動部材３０は上下動する。
【００４０】
（１２）外側シリンダーの保護構造の１
本発明の各硬質プロテクターは、ドリル対策用なので、特に否定しない限り、原則的には浸炭焼き入れされている。また各硬質プロテクターは、引戸１の内側または戸先面に適宜に形成した嵌め込み用開口から引戸１に組み込み装着される。
【００４１】
さて、符号６１は、外側シリンダー５０の外周壁５０ａに直接または間接的に外挿するように引戸１の内部空間２に固定的に配設されたケース状の第１硬質プロテクターである。この第１硬質プロテクター６１は、本実施例では肉厚の外側シリンダー用固定筒５６を介して外側シリンダー５０に外嵌合する。なお、この固定筒５６も浸炭焼き入れされている。
【００４２】
したがって、引戸１に組み込まれる外側シリンダー５０、肉厚状固定筒５６、第１硬質プロテクター６１などの組み込み部材は、複数個の固着手段６２．６２を介して化粧板５の内側に一体的に取付けられる。
【００４３】
ここで、図５乃至図７を参照にして肉厚状固定筒５６と第１硬質プロテクター６１の構成をそれぞれ説明する。肉厚状固定筒５６は、図５で示すように断面段差状に形成され、化粧板５の内壁面に面接触状態に添設する角型大径部分５６ａの上・下部には、化粧板５のメネジ部と符合する固着手段６２用の複数個の貫通孔５７が形成されている。また、角型大径部分５６ａに連設する小径部分５６ｂには、外側シリンダー５０の内筒５６に嵌合する垂直係止部が周設されている。そして、肉厚状固定筒５６は、その中心部に外側シリンダー５０に外挿する任意形状の貫通嵌合孔５８を有している。
【００４４】
一方、第１硬質プロテクター６１は、該肉厚状固定筒５６に結合することができるように肉厚状固定筒５６の貫通孔５７と符合する固着具用貫通小孔６３を有する垂直の環状壁６１aと、この垂直環状壁６１aの外周縁部から室内または室外側に向かって延び、かつ、シリンダー錠１４の後端部あるいは先端部側を全体に包む筒状防御壁６１bとから成る。
【００４５】
この筒状防御壁６１bは、本実施例では開口側端面が室内側を指向している。もちろん、設計如何によっては、開口側端面を化粧板５側に向けても良い。この場合には、ケース状の第１硬質プロテクター６１は、肉厚状固定筒５６に固定的に外嵌合するのが望ましい。
【００４６】
したがって、第１硬質プロテクター６１は、その形態の如何に係らず、円形又は角形の垂直環状壁６１aの中心部に任意形状の嵌め込み用開口部６４を有する。
【００４７】
（１３）第１硬質プロテクター６１の防御機能
第１硬質プロテクター６１が引戸１に組み込み内装されると、本実施例では、外側シリンダー錠５０の周胴部の後部側また先端部側を四方八方から包む格好となるから、該第１硬質プロテクター６１は、正面視を基準にして広角方向（例えば上方４５度方向、下方４５度方向）から暴力的な破壊攻撃に対して防御することができる。
したがって、泥棒は外側シリンダー錠５０の突出駆動軸(当業者用語「テールピース」)をドリルで攻撃し難いから、「カム送り」や「サムターン回し」ができない。
【００４８】
（１４）外側シリンダーの保護構造の２
次に符号７１は、少なくとも外側シリンダー５０の外周壁５０ａを防御することができるように引戸１の内部空間に組み込まれた縦長ケース状の第２硬質プロテクターである。この第２硬質プロテクターは、第１硬質プロテクター６１よりも大きく、かつ、該第１硬質プロテクター６１を包むように引戸１の室外側１ａの縦框に添設状態に固設されている。
【００４９】
したがって、第２硬質プロテクター７１は、第１硬質プロテクター６１が内側ケースプロテクターであるのに対し、外側ケースプロテクターに相当する。この第２硬質プロテクター７１は、例えばサッシ型縦框の内部空間２に組み込まれた状態で第２硬質プロテクター７１用の複数個の固着手段７２を介して固定される。
【００５０】
ここで、図７を基準にして符号を付す。７１ａは上壁、７１ｂは外側シリンダー５０用の小開口７３を有する前壁、７１ｃ．７１ｃは左右の側壁、７４は後方大開口である。なお、本実施例の第２硬質プロテクター７１の下方は開口している。また、前記左右の側壁７１ｃ．７１ｃの一方または両方に固着手段７２用の取付け孔７５が適宜に形成されている。また、第２硬質プロテクター７１と第１実施例の第１硬質プロテクター６１を組み合わせる場合に於いて、両部材の関係は、例えば縦長ケース状硬質プロテクター７１の前壁７１ｂの内壁面に、外側シリンダー５０の外周壁を囲む筒状防御壁６１ｂの先端部を固定しても良いのはもちろんである。つまり、ケース状第１硬質プロテクター６１は、化粧板５または硬質プロテクター７１の前壁７１ｂ内壁面のいずれか一方に固定されていれば良い。
【００５１】
（１５）第２硬質プロテクター７１の防御機能
第２硬質プロテクター７１が引戸１に単独に組み込み内装されると、それ自体で外側シリンダー５０の外周壁５０ａ等を、広角的に保護する。また、第１硬質プロテクター６１と共に引戸１に共に組み込み内装された場合には、外側シリンダー５０の外周壁５０ａ等を二重に保護する。
【００５２】
換言すれば、第２硬質プロテクター７１は、ドリル攻撃に対しては、第１段階で防御する役割を果たし、仮に第２硬質プロテクター７１が破壊された場合には、今度は第１硬質プロテクター６１が第２段階で防御する役割を果たす。
【実施例】
【００５３】
次に、図１６乃至図１８は、第１実施例と異なる、或いは第１実施例に他の要件を加味した第２実施例、第３実施例である。以下、第２実施例等の説明に当たっては、重複説明を回避するために第1実施例の符号を便宜上援用する。
【００５４】
図１６及び図１７は第２実施例を示す。この第２実施例の目的も第１実施例と同様に、引戸において、泥棒が超硬ドリルを用い、少なくとも外側シリンダー錠に対して攻撃してきても、容易に外側シリンダー錠の駆動軸を回転させ、施錠片を解錠することができないようにすることである。したがって、第２実施例も第１実施例と目的が同一であるから、それ自体「独立の発明」である。
【００５５】
符号８１は、外側シリンダー５０の後端部側を保護するように化粧板５の内壁面に直接又は間接的に添設固定された板状の第３硬質プロテクターである。図１７の正面図を参照にして第３硬質プロテクター８１を説明する。
【００５６】
８２は外側シリンダー５０の後端部側に外挿する中心嵌合孔で、該中心嵌合孔８２の内径は外側シリンダー５０の外筒の外径に適合するように形成されている。８３、８３は第３硬質プロテクター８１の上・下端部にそれぞれ形成された円形、切欠等の取付け部で、これらの取付け部８３、８３は、ブロック状固定筒５６Ａの大径部分内端面の上下部に適宜に突設した突起５９、５９に係合する。
【００５７】
したがって、板状の第３硬質プロテクター８１は、これらの突起５９、５９及び取付け部８３、８３を介して化粧板５とブロック状固定筒５６Ａの間に介在し、侵入ドリルに対して防御する。
【００５８】
第３硬質プロテクター８１が第１硬質プロテクター６１等の後方に配設されている実施例の場合には、外側シリンダー錠５０に対して、少なくとも二重、三重のプロテクターを設けることになるので、より一層破壊行為が困難になる。
【００５９】
図１８は第３実施例を示す。この第３実施例の目的は、第１実施例に新たな目的を加味するものである。
【００６０】
第１実施例では、第１硬質プロテクター６１が複数個の固着手段６２、６２を介して肉厚状の固定筒５６の外端面に添設固定されているが、泥棒がこれらの固着手段６２、６２を狙い撃ちする可能性がある。
【００６１】
そこで、ケース状第１硬質プロテクター６１の内壁面と外側シリンダー５０の先端部側外周面との間隙部分８６に任意形状の固着手段防御部材８５を内装している。
【００６２】
なお、固着手段防御部材８５は、第１硬質プロテクター６１の形状、間隙部分８６の大きさ、固着手段６２、６２の本数や位置を考慮して環状、ブロック形状、球体など適宜に設計される。
【産業上の利用可能性】
【００６３】
本発明は、建具や錠前業界において、主に引戸の錠前に利用される。
【図面の簡単な説明】
【００６４】
図１乃至図１５は本発明の第１実施例を示す各説明図である。図１６及び図１７は第２実施例を示す各説明図。図１８は第１実施例を前提とする第３実施例である。
【図１】第１実施例の実施形態の一例を平面側から見た概略断面説明図。
【図２】室内側から見た場合の概略断面説明図。
【図３】図２の矢印Ａ方向から見た場合の概略断面説明図（一部切欠ている）。
【図４】図３を基準にした概略断面説明図。
【図５】主要部の概略断面説明図。
【図６】引戸に対して室外側から見た場合の概略説明図。
【図７】錠前を構成する主な部品の分解斜視図。
【図８】第１及び第２硬質プロテクターを含む斜視からの説明図。
【図９】錠前の主な部材を組み合わせた状態の概略説明図。
【図１０】内外のシリンダーの配設状態を示す概略説明図。
【図１１】内側シリンダー、動力変換上下動部材、制御板等の関係を示す説明図。
【図１２】内側シリンダーにキーを差込み、キー操作により制御板が前進し、クラッチが連動部材から外れた状態の概略説明図。
【図１３】連動部材にクラッチボタンが作用していない（係合解消）状態の説明図。
【図１４】内側シリンダーにキーを差込み、キー操作により制御板が後退し、クラッチが連動部材に係合した状態の概略説明図。
【図１５】外側シリンダーと連動部材との関係を示す斜視図。
【図１６】第２実施例の概略断面説明図。
【図１７】第３硬質プロテクターの正面図。
【図１８】第３実施例の概略断面説明図。
【符号の説明】
【００６５】
Ｘ…引戸（戸先錠）、Ｙ…サムターン係脱機構、Ｚ…縦枠、Ｗ…壁、１…引戸、２…取付け収納体、３…受け金具、４…施錠片、５…内枠部材、６．５１…嵌合部、７…サムターン、７ａ…スライド部、７ｂ…摘み部、１０…内側シリンダー、１３…駆動歯車、１４…キー、１６…案内固定軸、２０…動力変換上下動部材、２１…係合駆動部、２２…ラック部、２５…制御板、２６…水平案内長孔、２７…傾斜案内長孔、３０…連動部材、３１…縦長端板、３２…連結係合部、３３…垂直案内長孔、３５…前壁、３６…垂直案内長孔、３９…支軸、４０…クラッチボタン用支持筒或いは嵌合筒部、４２…バネ、４３…クラッチボタン、４３ｂ…大径係合部、４３ｃ…小径係合部、４４…小支持板、５０…外側シリンダー、５１…凹所状嵌合部、５２…収納凹所、５３…伝動歯車、５４…ラック、５５…連結被係合部、５６、５６Ａ…外側シリンダー用固定筒、５６ａ…大径部分、５６ｂ…小径部分、５７…貫通孔、５８…嵌合孔、５９…突起、６１…第１硬質プロテクター、６１ａ…環状壁、６１ｂ…筒状防御壁、６２…固着手段、６３…貫通小孔、６４…開口、７１…第２硬質プロテクター、７１ｂ…前壁、７２…固着手段、７３…小開口、７４…後方大開口、７５…取付け孔、８１…第３硬質プロテクター、８２…中央嵌合孔、８３…取付け部、８５…固着手段用防御部材、８６…間隙部分。
【図１】
2005188083.tif 000003
【図２】
2005188083.tif 000004
【図３】
2005188083.tif 000005
【図４】
2005188083.tif 000006
【図５】
2005188083.tif 000007
【図６】
2005188083.tif 000008
【図７】
2005188083.tif 000009
【図８】
2005188083.tif 000010
【図９】
2005188083.tif 000011
【図１０】
2005188083.tif 000012
【図１１】
2005188083.tif 000013
【図１２】
2005188083.tif 000014
【図１３】
2005188083.tif 000015
【図１４】
2005188083.tif 000016
【図１５】
2005188083.tif 000017
【図１６】
2005188083.tif 000018
【図１７】
2005188083.tif 000019
【図１８】
2005188083.tif 000020